(57)【要約】【課題】容易に収納作業を行うことができる収納具を提供する。【解決手段】収納具は、一面に開口が設けられた箱状をなし、物品を収納する収納具において、対向する第１側壁部及び第２側壁部と前記第１側壁部及び第２側壁部に連なり、前記第１側壁部及び第２側壁部の対向方向に伸縮可能である２つの第３側壁部と、前記第１側壁部及び第２側壁部に連なり、前記対向方向に伸縮可能である底壁部と、前記第１側壁部及び第２側壁部の対向距離を所定距離に保持し、前記第１側壁部又は第２側壁部から着脱可能である保持体とを備える。【選択図】図２
2018158553.tif 000002
【特許請求の範囲】
【請求項１】
一面に開口が設けられた箱状をなし、物品を収納する収納具において、
対向する第１側壁部及び第２側壁部と
前記第１側壁部及び第２側壁部に連なり、前記第１側壁部及び第２側壁部の対向方向に伸縮可能である２つの第３側壁部と、
前記第１側壁部及び第２側壁部に連なり、前記対向方向に伸縮可能である底壁部と、
前記第１側壁部及び第２側壁部の対向距離を所定距離に保持し、前記第１側壁部又は第２側壁部から着脱可能である保持体と
を備えることを特徴とする収納具。
【請求項２】
前記保持体は、一方向に長い板状をなし、
前記保持体の一端部は、前記第１側壁部又は前記第２側壁部の一方に着脱可能に接続され、
前記保持体の他端部は、前記第１側壁部又は前記第２側壁部の他方に前記第２側壁部に支持されている
ことを特徴とする請求項１に記載の収納具。
【請求項３】
前記第１側壁部又は前記第２側壁部に設けられ、前記保持体を挿脱可能に収容する収容体を備える
ことを特徴とする請求項１又は２に記載の収納具。
【請求項４】
前記保持体は、複数あり、
前記収容体は、
前記複数の保持体を重ねて収容し、
前記底壁部に平行に延び、前記保持体を移動可能に前記底壁部側から支持する支持部と、
前記複数の保持体の位置を仕切る仕切り部と
を有することを特徴とする請求項２に記載の収納具。
【請求項５】
前記収容体は、折り目が、前記底壁部に平行であり、前記底壁部側及び前記開口側に交互に位置するように複数回折り曲げられたシートにより形成され、
前記支持部は、前記底壁部側に位置する折り目を形成する部分である
ことを特徴とする請求項４に記載の収納具。  
【請求項６】
前記第１側壁部又は前記第２側壁部には、前記保持体の一端部が挿脱可能に挿入される挿入口が設けられていることを特徴とすること請求項２に記載の収納具。
【発明の詳細な説明】
【技術分野】
【０００１】
本開示は、書類等を収納する収納具に関する。
【背景技術】
【０００２】
従来、書類等の紙状体を収納する収納具として、種々の収納具が使用されている。収納具は、例えば、開口を有する箱状をなしており、開口から書類等を入れることにより、収納する。ここで、収納具は、書類の分量に応じて、全体の大きさを調整可能なように、対向する２枚の表紙部を蛇腹状の側面部により接続する場合がある（例えば、特許文献１参照）。
【０００３】
この場合、２枚の表紙部間に挟まれる書類等が少ない場合又は使用せずに保管しておく場合、側面部を折りたたんで、全体の大きさを小さくしておき、種類等が多い場合、側面部の伸長により、より多くの書類を収容する。
【先行技術文献】
【特許文献】
【０００４】
【特許文献１】特開平１１−１１２１１０号公報
【発明の概要】
【発明が解決しようとする課題】
【０００５】
しかしながら、側面部は、縮小した状態においては、書類等を入れにくいため、伸長した状態を保持する場合があるが、この状態を保持しつつ、書類等を収容する作業は煩雑であるという問題がある。
【０００６】
本開示は、斯かる事情に鑑みてなされたものであり、その目的とするところは、容易に収納作業を行うことができる収納具を提供することにある。
【課題を解決するための手段】
【０００７】
本開示の一実施形態に係る収納具は、一面に開口が設けられた箱状をなし、物品を収納する収納具において、対向する第１側壁部及び第２側壁部と前記第１側壁部及び第２側壁部に連なり、前記第１側壁部及び第２側壁部の対向方向に伸縮可能である２つの第３側壁部と、前記第１側壁部及び第２側壁部に連なり、前記対向方向に伸縮可能である底壁部と、前記第１側壁部及び第２側壁部の対向距離を所定距離に保持し、前記第１側壁部又は第２側壁部から着脱可能である保持体とを備えることを特徴とする。
【０００８】
本開示の一実施形態によれば、保持体により第１側壁部及び第２側壁部を接続することにより、第１側壁部及び第２側壁部を所定距離に保持することができる。したがって、第２側壁部及び底壁部を伸長した状態を維持でき、開口を広げた状態を維持できる。したがって、容易に収納作業を行うことができる。
【０００９】
本開示の一実施形態に係る収納具は、前記保持体は、一方向に長い板状をなし、前記保持体の一端部は、前記第１側壁部又は前記第２側壁部の一方に着脱可能に接続され、前記保持体の他端部は、前記第１側壁部又は前記第２側壁部の他方に前記第２側壁部に支持されていることを特徴とする。
【００１０】
本開示の一実施形態によれば、保持体の一端部を第１側壁部又は第２側壁部から着脱することにより、第１側壁部及び第２側壁部の対向距離を所定距離に保持すること及びその解除が可能となる。
【００１１】
本開示の一実施形態に係る収納具は、前記第１側壁部又は前記第２側壁部に設けられ、前記保持体を挿脱可能に収容する収容体を備えることを特徴とする。
【００１２】
本開示の一実施形態によれば、保持体を使用しない場合は、収容体に収容しておき、保持体が必要な場合に収容体から取り出して使用することができる。
【００１３】
本開示の一実施形態に係る収納具は、前記保持体は、複数あり、前記収容体は、前記複数の保持体を重ねて収容し、前記底壁部に平行に延び、前記保持体を移動可能に前記底壁部側から支持する支持部と、前記複数の保持体の位置を仕切る仕切り部とを有することを特徴とする。
【００１４】
本開示の一実施形態によれば、支持部が移動可能に支持することにより、保持体の移動が移動の際に案内され、移動をスムーズにすることができる。また、仕切り部により、複数の保持体が互いに干渉しないため、移動をスムーズにすることができる。
【００１５】
本開示の一実施形態に係る収納具は、前記収容体は、折り目が、前記底壁部に平行であり、前記底壁部側及び前記開口側に交互に位置するように複数回折り曲げられたシートにより形成され、前記支持部は、前記底壁部側に位置する折り目を形成する部分であることを特徴とする。
【００１６】
本開示の一実施形態によれば、一の部材で、複数の支持部を形成することができ、部材点数を少なくし、また、構造が簡素になる。
【００１７】
本開示の一実施形態に係る収納具は、前記第１側壁部又は前記第２側壁部には、前記保持体の一端部が挿脱可能に挿入される挿入口が設けられていることを特徴とする。
【００１８】
本開示の一実施形態によれば、保持体の一端部を挿入口に挿入することにより、保持体を保持することができる。
【発明の効果】
【００１９】
本開示の実施形態によれば、容易に収納作業を行うことができる。
【図面の簡単な説明】
【００２０】
【図１】実施形態に係る収納具の外観斜視図である。
【図２】実施形態に係る収納具の外観斜視図である。
【図３】収納具の側面図である。
【図４】収納具の底面図である。
【図５】第１表紙部の平面図である。
【図６】折返し部の折返し前の状態を示す説明図である。
【図７】第１表紙部の側面の一部を示す模式図である。
【図８】第２表紙部の平面図である。
【図９】第２表紙部の構造の説明図である。
【図１０】第２表紙部の側面の一部を示す模式図である。
【図１１】収容体の折り畳み態様の説明図である。
【図１２】収容体の折り畳み態様の説明図である。
【図１３】収容体の折り畳み態様の説明図である。
【図１４】収容体の折り畳み態様の説明図である。
【図１５】収容体の折り畳み態様の説明図である。
【図１６】収容体の折り畳み態様の説明図である。
【図１７】収容体の折り畳み態様の説明図である。
【図１８】収容体の構造を示す模式的断面図である。
【図１９】収容体の構造を示す模式的断面図である。
【図２０】アームの側面図である。
【図２１】図２０のＸＸＩ−ＸＸＩ線による断面図である。
【図２２】図２０のＸＸＩＩ−ＸＸＩＩ線による断面図である。
【図２３】アームの使用態様を示す説明図である。
【図２４】アームの使用態様を示す説明図である。
【発明を実施するための形態】
【００２１】
以下、本開示に係る収納具についてその実施形態を示す図面に基づいて詳述する。
図１及び図２は、実施形態に係る収納具の外観斜視図である。図３は、収納具の側面図であり、図４は、収納具の底面図である。図１、図２、図３及び図４において、図示の１００は、収納具であり、収納具１００は、一面が開口した箱状をなし、矩形平板状の第１表紙部２及び第２表紙部３と、シート状の接続壁部３，３及び底壁部４と、シート状の複数の区切り体５，５，・・・（図では１２枚）と、２つの矩形平板状のアーム６，６とを備える。
【００２２】
第１表紙部１及び第２表紙部２は、平行に対向しており、各短辺部が接続壁部３，３により接続されている。底壁部４は、第１表紙部１及び第２表紙部２の対向面において対向する一に長辺部に接続され、接続壁部３，３における前記一の長辺部側の部分に連なっている。接続壁部３，３及び底壁部４は、夫々が、第１表紙部１及び第２表紙部２の対向方向に伸縮可能であるように蛇腹状に形成されている。接続壁部３，３及び底壁部４は、一枚の矩形状のシートを長手方向において折り曲げることにより形成されている。
【００２３】
各区切り体５は、収納具１００の内部において、接続壁部３，３及び底壁部４の蛇腹形状の谷折りに係る部分に対応させて配されている。ここで、谷折りとは、収納具１００の内側に折り目が位置するように折ることを指し、山折りとは収納具１００の外側に折り目が位置するように折ることを指す。区切り体５は、例えば、周縁部を接続壁部３，３及び底壁部４に超音波溶着することにより固定されている。
【００２４】
アーム６，６は、後述するように、第２表紙部２に挿脱可能に収容されており、図２に示すように第１表紙部１及び第２表紙部２を接続し、第１表紙部１及び第２表紙部２を接続した場合、第１表紙部１及び第２表紙部２の対向距離を所定距離に保持する。ここで、図１及び図４は、アーム６，６を収容した状態を示し、図２及び図３は、アーム６，６により、第１表紙部１及び第２表紙部２に接続している状態を示している。
【００２５】
図５は、第１表紙部１の平面図である。第１表紙部１は、本体部１０、２つの折り返し部１１，１１及び被覆板１２を有する。本体部１０は矩形板状をなし、折返し部１１，１１は、本体部１０の各短辺部の中央部分に設けられている。本体部１０及び折返し部１１，１１は一枚の板により形成されている。
【００２６】
図６は、折返し部１１の折返し前の状態を示す説明図である。図７は、第１表紙部１の側面の一部を示す模式図ある。折り返し部１１は、本体部の短辺に沿って長い板状をなしており、短手方向に並ぶ一端部１１ａ及び他端部１１ｂを有する。他端部１１ｂの方が、一端部１１ａよりも長く形成されている。折り返し部１１の一端部１１ａは、折り返し部１１の長手方向に並ぶヒンジ部１５，１５を介して本体部１０の短辺部１０ａに連なっている。ヒンジ部１５，１５は、例えば、いわゆるトムソン加工により形成されている。
【００２７】
一端部１１ａには、ヒンジ部１５，１５間において、折返し部１１側に凹む凹部１３が設けられている。本体部１０には、ヒンジ部１５，１５間において、凹部１３に連なり、本体部１０側に凹む凹部１４が設けられている。
【００２８】
折返し部１１は、ヒンジ部１５，１５において、本体部１０の一面側に折り曲げられ、本体部１０の一面に重なっている。折返し部１１の他端部１１ｂの長手方向の各端部１１０，１１０において、例えば超音波溶着により、本体部１０に溶着されている。これにより、図７に示すように、折り返し部１１の凹部１３及び本体部１０の凹部１４間には、隙間１６が形成されている。隙間１６に後述するアーム６の一端部６１が挿入される。また、凹部１４は、凹部１３よりも深く形成されている。これにより、折返し部１１が折り返された状態において、凹部１３の縁部は凹部１４から露出する。
【００２９】
ここで、第１表紙部１は、折返し部１１が重なる一面を内側として配されている。第１表紙部１の一面の一の短辺部において、折り返し部１１以外の部分が接続壁部３に接続されている。接続壁部３の第１表紙部１側の部分において、折り返し部１１に対向する部分には、図３に示すように、内側に凹む凹部３０が設けられている。折り返し部１１は、凹部３０と本体部１０との間から露出している。第１表紙部１の一面の他の短辺部においても、同様の構造である。
【００３０】
被覆板１２は、本体部１０の一面に該一面の周縁部を残して被せられている。被覆板１２は、折返し部１１の他端部１１ｂを覆うように配され、被覆板１２の周縁部は、本体部１０の一面に、例えば超音波溶着により溶着されている。
【００３１】
図８は、第２表紙部２の平面図である。第２表紙部２は、本体部２０、２つの折返し部２１，２１及び被覆板２２を有する。本体部２０は矩形板状をなし、折返し部２１，２１は、本体部２０の各短辺部の中央部分に設けられている。
【００３２】
図９は、第２表紙部２の構造を示す説明図である。図１０は、第２表紙部２の側面の一部を示す模式図ある。折返し部２１は、本体部２０の短辺に沿って長い板状をなしており、短手方向に並ぶ一端部２１ａ及び他端部２１ｂを有する。一端側２１ａが本体部２０の短辺部２０ａに、折返し部２１の長手方向に並ぶヒンジ部２５，２５を介して本体部２０に連なっている。ヒンジ部２５，２５は、例えば、いわゆるトムソン加工により形成されている。
【００３３】
折返し部２１には、ヒンジ部２５，２５間において、折返し部２１の側に凹む凹部２３が設けられている。本体部２０には、ヒンジ部２５，２５間において、凹部２３に連なり、本体部２０側に向けて凹む凹部２４が設けられている。
【００３４】
折返し部２１は、ヒンジ部２５，２５において、本体部２０の一面側に折り曲げられ、本体部２０の一面に重なっている。折返し部２１の他端部２１ｂの長手方向の各端部２１０，２１０は、例えば超音波溶着により、本体部２０に溶着されている。これにより、図１０に示すように、折返し部２１の中央部及び本体部２０の間には、隙間２６が形成されている。隙間２６において、後述するアーム６が移動する。また、凹部２４は、凹部２３よりも深く形成されている。これにより、折返し部２１が折り返された状態において、凹部２３の縁部は凹部２４から露出する。
【００３５】
ここで、第２表紙部２は、折返し部２１が重なる一面を内側として配されている。第２表紙部２の一面の一の短辺部において、折り返し部２１以外の部分が接続壁部３に接続されている。接続壁部３の第２表紙部２側の部分において、折返し部２１に対向する部分には、図３に示すように、内側に凹む凹部３１が設けられている。折返し部２１は、凹部３２と本体部１０との間から露出している。第２表紙部２の一面の他の短辺部においても、同様の構造である。
【００３６】
被覆板２２は、矩形状をなし、一の長辺部を本体部２０の一の長辺部に沿わせて、本体部２０に被せられている。被覆板２２は、折返し部２１の他端部２１ｂを覆うように配され、被覆板２２の前記一の長辺部は、本体部２０の前記一の長辺部に溶着され、他の長辺部は、本体部２０の一面に溶着されている。
【００３７】
被覆板２２及び本体部２０の間において、凹部２３，２３の間には、アーム６，６が収容され、アーム６，６を収容する収容体７が配されている。収容体７は、図９に示す一枚の四角形状のシートを後述するように、折り畳むことにより形成されている。収容体７は、広げられた状態における一辺側に位置する第１領域７１、該第１領域７１に連なる第２領域７２、該第２領域に連なる第３領域７３、該第３領域７３に連なる第４領域７４、及び該第４領域に連なる接続領域７５を有する。接続領域７５は、前記一辺の対辺側に位置する。
【００３８】
第１領域７１、第２領域７２、第３領域７３及び第４領域７４は、同形をなしており、前記一辺に沿って長く、該一辺に平行な矩形状をなしている。第１領域７１〜第４領域７４の長さは、本体部２０よりも短い。接続領域７５は、第１領域７１〜第４領域７４に平行であり、同じ長さの矩形状であり、短手方向の幅が、第１領域７１〜第４領域７４よりも小さい。
【００３９】
第１領域７１には、長手方向の一端部から、該長手方向に沿って延びる延出部７１ａが設けられおり、第２領域７２には、長手方向の他端部から、該長手方向に沿って延びる延出部７２ａが設けられている。第４領域７４には、長手方向の一端部から、該長手方向に沿って延びる延出部７４ａが設けられている。延出部７１ａ，７３ａ，７４ａは、先端にかけて細くなるテーパ形状をなしている。第４領域７４の長さは、延出部７４ａを含めて本体部２０よりも短く、延出部２０ａは全体が本体部２０に重なるように位置している。
【００４０】
収容体７は、第１領域７１〜第４領域７４及び接続領域７５の長手方向が本体部２０の長手方向に平行となり、接続領域７５が、二つの折返し部２１，２１における一の側のヒンジ部２５間に位置し、第１領域７１〜第４領域７４が前記一の側に位置するように配されている。接続領域７５が本体部２０の一面に、例えば、超音波溶着により接続されることにより、本体部２０に固定されている。
【００４１】
以下、収容体７の折り畳み態様について説明する。図１１〜１７は、収容体の折り畳み態様の説明図である。ここで、収容体７の折り畳み態様においては、一面側（図１１〜１７における紙面表側）に折り曲げることを谷折りとし、他面側（図１１〜１７における紙面裏側）に折り曲げることを山折りとする。
【００４２】
まず、図１１に示すように、広げられた収容体７を、第１領域７１及び第２領域７２の境目部分において谷折りする。これにより、曲折部７ａが形成される。次に、図１２に示すように、延出部７１ａを山折りする。その後、図１３に示すように、収容体７を第２領域７２及び第３領域７３の境目部分で山折りする。これにより、曲折部７ｂが形成される。
【００４３】
その後、図１４に示すように、収容体７を第３領域７３及び第４領域７４の境目部分において、谷折りする。これにより、曲折部７ｃが形成される。その後、図１５に示すように、延出部７２ａを山折りした後、図１６に示すように、延出部７４ａを山折りする。最後に図１７に示すように、第４領域７４及び接続領域７５の境目部分において、谷折りすることにより収容体７が折り畳まれた状態となる。このとき、接続部７５側が本体部２０側に位置している。
【００４４】
図１８及び図１９は、収容体７の構造を示す模式的断面図である。図１８は、収容体７の長手方向の断面を示し、図１９は、収容体７の短手方向の断面を示している。図１８及び図１９に示すように、アーム６の内、一方は第１領域７１及び第２領域７２間に収容され、他方は第３領域７３及び第４領域７４間に収容されている。これにより、２本のアーム６，６は、互いに干渉しない。
【００４５】
また、折り曲げられた延出部７１ａの先端部は、第２領域７２及び第３領域７３間に挿入されている。折り曲げられた延出部７２ａの先端部は、第４領域７４の外面上に位置している。ここで、収容体７の長手方向の各端部は、折返し部２１及び本体部２０により挟まれる。これにより、第１領域７１と第２領域７２との間において、延出部７１ａ側は、折り曲げられた延出部７１ａにより蓋がされている。また、第３領域７３及び第４領域７４間において、延出部７２ａ側は、折り曲げられた延出部７２ａにより蓋がされている。
【００４６】
したがって、第１領域７１及び第２領域７２間に収容されているアーム６は、延出部７１ａ側からは挿脱されず、延出部７１ａの反対側から挿脱可能となる。第３領域７３及び第４領域７４間に収容されているアーム６は、延出部７２ａ側からは挿脱されず、延出部７２ａの反対側から挿脱可能となる。これにより、２本のアーム６，６は、互いに収容体７の長手方向の反対側から挿脱可能となる。
【００４７】
図１９に示すように、収容体７に収容されているアーム６，６は、曲折部７ｃを形成する第２領域７２及び第３領域により仕切られている。また、第２表紙部２は、曲折部７ａ，７ｂが底壁部４側に位置し、延出部７１ａが一方の接続壁部３側に位置し、延出部７２ａが他方の接続壁部３側に位置するように配されている。これにより、曲折部７ａ，７ｂ，７ｃは、第２表紙部２の本体部２０と、底壁部４に沿って平行に延び、底壁部４側と、収納具１００の開口側に交互に位置することとなる。
【００４８】
第１領域７１及び第２領域７２間に収容されているアーム６は、一の長辺部が曲折部７ａに対向し、移動の際に曲折部７ａに案内される。第３領域７３及び第４領域７４間に収容されているアーム６は、一の長辺部が曲折部７ｂに対向し、移動の際に曲折部７ｂに案内される。
【００４９】
以上において、曲折部７ａ，７ｂは、底壁部４に平行に延び、アーム６，６を移動可能に底壁部４側から支持する支持部をなし、第２領域７２及び第３領域７３は、複数のアーム６の位置を仕切る仕切り部をなす。したがって、収容体７は、折り目が、底壁部４に平行であり、底壁部４側及び開口側に交互に位置するように複数回折り曲げられたシートにより形成され、前記支持部は、前記底壁部４側に位置する折り目を形成する部分であり、前記仕切り部は、前記開口側に位置する折り目を形成する部分である。
【００５０】
図２０は、アーム６の側面図である。図２１は、図２０のＸＸＩ−ＸＸＩ線による断面図であり、図２２は、図２０のＸＸＩＩ−ＸＸＩＩ線による断面図である。アーム６は、矩形状の本体部６０と、本体部６０の一端部に設けられた挿入部６１と、本体部６０の他端部に設けられた係止部６２とを有する。
【００５１】
本体部６０は、矩形状の第１板部６０ａ及び第２板部６０ｂにより形成されている。第１板部６０ａ及び第２板部６０ｂは、同じ方向に長く、長辺部同士がヒンジ部６０４を介して、連なっている。本体部６０は、第１板部６０ａ及び第２板部６０ｂをヒンジ部６０４において折り曲げて、互いに重ね合わせることにより形成されている。第１板部６０ａ及び第２板部６０ｂは、例えば、超音波溶着により溶着されている。
【００５２】
第１板部６０ａの一端部には、挿入部６１が短手方向に延びるヒンジ部６０１を介して連なっている。ヒンジ部６０１により、挿入部６１が第２板部６０ｂ側に位置するように折り曲げが可能である。
【００５３】
第１板部６０ａの他端部には、係止部６２が短手方向に延びるヒンジ部６０２を介して連なっている。ヒンジ部６０２の長手方向の中央部には、該長手方向に長い長孔６０３が貫設されている。ヒンジ部６０２により、係止部６１が第２板部６０ｂ側に位置するように折り曲げが可能である。ここで、ヒンジ部６０１，６０２，６０４は、例えば、トムソン加工により形成されている。
【００５４】
第２板部６０ｂの係止部６２側の端部は、端部に向けて細くなるテーパ状をなしており、先端部６１０は、長孔６０３まで延びている。また、先端部６１０は、ヒンジ部６０２よりも係止部６２側に位置している。先端部６１０は、アーム６がヒンジ部６０２において、折り曲げられた場合、長孔６０３から第１板部６０ａ側に突出する。
【００５５】
係止部６２は、矩形状の接続板部６２ａ及び係止板部６２ｂにより形成されており、長辺部同士がヒンジ部６２０を介して連なっている。係止部６２は、接続板部６２ａ及び係止板部６２ｂをヒンジ部６２０において折り曲げて、互いに重ね合わせることにより形成されている。ここで、係止板部６２ｂは、第２板部６０ｂの反対側に位置している。接続板部６２ａ及び係止板部６２ｂは、例えば、超音波溶着により溶着されている。
【００５６】
接続板部６２ａは、ヒンジ部６２０の反対側が本体部６０の第１板部６０ａに連なっている。係止板部６２ｂは、接続板部６２ａよりも長く、両端部６２１，６２１が接続板部６２ａから突出している。
【００５７】
アーム６は、第２板部６０ｂが内側に位置し、係止板部６２ｂが収容体７の延出部７１ａ又は７２ａ側に位置するように、収容体７に収容されている。このとき、挿入部６１が図１に示すように、隙間２６から露出している。
【００５８】
図２３及び図２４は、アーム６の使用態様を示す説明図である。アーム６は、図２３に示すように、図１に示す状態からアーム６を、隙間２６から露出している挿入部６１側から引き出す。このとき、収容体７の曲折部７ａがアーム６の移動を案内し、アーム６を収容体７からスムーズに取り出すことができる。アーム６の本体部６０を全て引き出した場合、係止板部６２ｂにおける両端部６２１，６２１がヒンジ部２５，２５に当接して係止され、アーム６の移動が規制される。
【００５９】
アーム６の本体部６０を引き出した後、図２３に示すように、アーム６をヒンジ部６０２において折り曲げて接続壁部３の外面に近接させる。その後、アーム６をヒンジ部６０１において折り曲げ、挿入部６１を第１表紙部１の隙間１６に挿入することにより、図２に示すようにアーム６により、第１表紙部１及び第２表紙部２を接続することができる。
【００６０】
アーム６の収容体７への収容は、挿入部６１を第１表紙部１の隙間１６から取り出し、ヒンジ部６０１及びヒンジ部６０２を曲折状態から戻し、隙間２６から本体部６０及び挿入部６１を挿入することにより行われる。アーム６の隙間２６における挿脱の際、先端部６１０がヒンジ部６０２よりも係止部６２側に位置しているので、隙間２６の縁部分に引っかかることを防止することができる。これにより、アーム６をスムーズに移動させることができる。
【００６１】
以上の如く構成された収納具１００は、開口側から、使用者が、区切り体５，５間、第１表紙部２及び区切り体５間、第２表紙部３及び区切り体５間に適宜書類等を差し込むことにより使用される。また、収納具１００を使用せずに棚などで保管する場合、第１表紙部１及び第２表紙部２を近接させることにより、接続壁部３，３及び底壁部４が収縮し収納具１００を折りたたむことができ、省スペース化を図ることができる。
【００６２】
第１表紙部１及び第２表紙部２を離隔するように移動させることにより、接続壁部３，３及び底壁部４が伸長し、区切り体５，５間と、第１表紙部２及び区切り体５間と、第２表紙部３及び区切り体５間との間隔が広がる。これにより、収納具に収納される書類等が増加した場合にも、より多くの書類等を収納することができる。
【００６３】
このとき、アーム６，６を上述するように使用することにより、第１表紙１及び第２表紙２を接続し、第１表紙部１及び第２表紙部２の対向距離を一定に保持し、接続壁部３，３及び底壁部４が伸長した状態を保つことができる。これにより、区切り体５，５間、第１表紙部２及び区切り体５間、第２表紙部３及び区切り体５間の間隔を広げた状態を保持でき、使用者は、容易に収納作業を行うことができる。
【００６４】
以上の構成によれば、アーム６，６により第１表紙部１及び第２表紙部２を接続することにより、第１表紙部１及び第２表紙部２に対向距離を所定距離に保持することができる。したがって、接続壁部３，３及び底壁部４を伸長した状態を維持でき、収納具１００開口を広げた状態を維持できる。したがって、収納具１００の使用者は容易に収納作業を行うことができる。
【００６５】
また、アーム６，６を使用しない場合は、収容体７に収容しておき、アーム６，６が必要な場合に収容体７から取り出して使用することができる。曲折部７ａ，７ｂがアーム６，６を移動可能に支持することにより、アーム６，６が移動の際に案内され、移動をスムーズにすることができ。また、第２領域７２及び第３領域７３により、アーム６，６が互いに干渉しないため、移動をスムーズにすることができる。
【００６６】
更に、曲折部７ａ，７ｂと、第２領域７２第３領域７３とは、一枚のシートに含まれているので、収納具１００の部材点数少なくでき、また、構造を簡素にすることができる。アーム６の挿入部６１を隙間１６に挿入することにより、アーム６を保持することができる。アーム６の中央部は第１板部６０ａ及び第２板部６０ｂを重ねて形成されているので、アーム６が変形しにくくなり、良好に第１表紙部１及び第２表紙部２の対向距離を保持することができる。
【００６７】
なお、アーム６の本体部６０は、テレスコピック形状にして、長さ調整を可能とした構造であってもよい。また、ヒンジ部は、トムソン加工により形成する構成に限られず、いわゆる熱ヒンジその他の構成であってもよい。更に、アーム６の本体部６０は、一枚の板状部材により形成することとしてもよい。また、各部材における溶着は、超音波溶着に限られず、例えば、熱溶着により行ってもよい。
【００６８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００６９】
１  第１表紙部（第１側壁部、第２側壁部）
１６  隙間（挿入口）
２  第２表紙部（第１側壁部、第２側壁部）
３  接続壁部（第３側壁部）
４  底壁部
６  アーム（保持体）
６０  本体部（中央部）
６０ａ  第１板部（板状体）
６０ｂ  第２板部（板状体）
６１  挿入部（一端部）
６２  係止部（他端部）
７  収容体
７ａ，７ｂ  曲折部（支持部）
７２  第２領域（仕切り部）
７３  第３領域（仕切り部）
１００  収納具
【図１】
2018158553.tif 000003
【図２】
2018158553.tif 000004
【図３】
2018158553.tif 000005
【図４】
2018158553.tif 000006
【図５】
2018158553.tif 000007
【図６】
2018158553.tif 000008
【図７】
2018158553.tif 000009
【図８】
2018158553.tif 000010
【図９】
2018158553.tif 000011
【図１０】
2018158553.tif 000012
【図１１】
2018158553.tif 000013
【図１２】
2018158553.tif 000014
【図１３】
2018158553.tif 000015
【図１４】
2018158553.tif 000016
【図１５】
2018158553.tif 000017
【図１６】
2018158553.tif 000018
【図１７】
2018158553.tif 000019
【図１８】
2018158553.tif 000020
【図１９】
2018158553.tif 000021
【図２０】
2018158553.tif 000022
【図２１】
2018158553.tif 000023
【図２２】
2018158553.tif 000024
【図２３】
2018158553.tif 000025
【図２４】
2018158553.tif 000026